(57)【要約】【課題】現在位置において、安全に無線接続可能な無線ＬＡＮのアクセスポイントを明確に示して接続可能にし、存在しない場合には、どこに設置されているのかを案内できる。【解決手段】リスト作成部１３１は、現在位置において、無線ＬＡＮ通信部１０１を通じて相互に通信が可能なアクセスポイントのうち、アクセスポイントＤＢ１０７にＳＳＩＤが登録されているアクセスポイントの一覧リストを作成して表示部１１１に表示し、選択可能にする。現在位置において、安全に接続可能なアクセスポイントが存在しない場合、探索部１３３が現在位置の最寄りのアクセスポイントを探索し、案内処理部１３４が探索されたアクセスポイントまで地図を用いて案内する。【選択図】図１
2016186431.tif 000002
【特許請求の範囲】
【請求項１】
自機の現在位置を取得する現在位置取得手段と、
無線ＬＡＮ（Local Area Network）のアクセスポイントを通じてインターネットに接続し通信をできるようにする無線通信手段と、
提供元が明らかな無線ＬＡＮのアクセスポイントの、識別情報、設置位置、接続に必要となる接続情報、有料／無料区分を保持するアクセスポイント記憶手段と、
現在位置において、前記無線通信手段を通じて相互に通信が可能なアクセスポイントのうち、前記アクセスポイント記憶手段に識別情報が登録されているアクセスポイントの一覧リストを作成して表示手段に表示するリスト作成手段と、
前記表示手段に表示された前記一覧リストから、接続先とするアクセスポイントの選択入力を受け付けて、選択された当該アクセスポイントに接続する処理を行う接続処理手段と、
現在位置において、前記無線通信手段を通じて相互に通信が可能なアクセスポイントであって、前記アクセスポイント記憶手段に識別情報が登録されているアクセスポイントが存在しない場合に、前記アクセスポイント記憶手段の前記設置位置に基づいて、前記現在位置取得手段で取得される自機の現在位置の最寄りの１つ以上のアクセスポイントを探索する探索手段と、
前記表示手段に地図と前記探索手段で探索された前記アクセスポイントまでのルートと自機の現在位置とを示して、前記アクセスポイントまでの案内を行う案内処理手段と
を備えることを特徴とするナビゲーション装置。
【請求項２】
請求項１に記載のナビゲーション装置であって、
前記リスト作成手段は、無料で利用可能なアクセスポイントを、有料で利用可能なアクセスポイントよりも上位に位置付けることを特徴とするナビゲーション装置。
【請求項３】
請求項２に記載のナビゲーション装置であって、
料金を支払うことにより提供を受けたアクセスポイントの識別情報と接続に必要となる接続情報との設定入力を受け付けて記憶する設定情報記憶手段を備え、
前記リスト作成手段は、前記設定情報記憶手段に記憶されている前記識別情報により特定されるアクセスポイントを優先的に上位に位置付けることを特徴とするナビゲーション装置。
【請求項４】
請求項１、請求項２または請求項３に記載のナビゲーション装置であって、
少なくとも出発地と目的地との指示入力を受け付けて、前記出発地から前記目的地までのルートを探索する手段であって、前記アクセスポイント記憶手段のアクセスポイントの設置位置を考慮して、前記アクセスポイント記憶手段に情報が記憶されているアクセスポイントと通信が可能な経路を探索するルート探索手段と、
前記ルート探索手段により探索された前記ルートに沿って移動するように、前記現在位置取得手段で取得する現在位置を利用すると共に、地図表示と音声出力との一方あるいは両方を用いて案内を行うルート案内手段と
を備えることを特徴とするナビゲーション装置。
【請求項５】
自機の現在位置を取得する現在位置取得手段と、無線ＬＡＮ（Local Area Network）のアクセスポイントを通じてインターネットに接続し通信をできるようにする無線通信手段と、提供元が明らかな無線ＬＡＮのアクセスポイントの、識別情報、設置位置、接続に必要となる接続情報、有料／無料区分を保持するアクセスポイント記憶手段とを備えるナビゲーション装置で用いられるナビゲーション方法であって、
リスト作成手段が、現在位置において、前記無線通信手段を通じて相互に通信が可能なアクセスポイントのうち、前記アクセスポイント記憶手段に識別情報が登録されているアクセスポイントの一覧リストを作成して表示手段に表示するリスト作成工程と、
接続処理手段が、前記表示手段に表示された前記一覧リストから、接続先とするアクセスポイントの選択入力を受け付けて、選択された当該アクセスポイントに接続する処理を行う接続処理工程と、
現在位置において、前記無線通信手段を通じて相互に通信が可能なアクセスポイントであって、前記アクセスポイント記憶手段に識別情報が登録されているアクセスポイントが存在しない場合に、探索手段が、前記アクセスポイント記憶手段の前記設置位置に基づいて、前記現在位置取得手段で取得される自機の現在位置の最寄りのアクセスポイントを探索する探索工程と、
案内処理手段が、前記表示手段に地図と前記探索手段で探索された前記アクセスポイントまでのルートと自機の現在位置とを示して、前記アクセスポイントまでの案内を行う案内処理工程と
を有することを特徴とするナビゲーション方法。
【請求項６】
自機の現在位置を取得する現在位置取得手段と、無線ＬＡＮ（Local Area Network）のアクセスポイントを通じてインターネットに接続し通信をできるようにする無線通信手段と、提供元が明らかな無線ＬＡＮのアクセスポイントの、識別情報、設置位置、接続に必要となる接続情報、有料／無料区分を保持するアクセスポイント記憶手段とを備えるナビゲーション装置に搭載されたコンピュータを、
現在位置において、前記無線通信手段を通じて相互に通信が可能なアクセスポイントのうち、前記アクセスポイント記憶手段に識別情報が登録されているアクセスポイントの一覧リストを作成して表示手段に表示するリスト作成手段と、
前記表示手段に表示された前記一覧リストから、接続先とするアクセスポイントの選択入力を受け付けて、選択された当該アクセスポイントに接続する処理を行う接続処理手段と、
現在位置において、前記無線通信手段を通じて相互に通信が可能なアクセスポイントであって、前記アクセスポイント記憶手段に識別情報が登録されているアクセスポイントが存在しない場合に、前記アクセスポイント記憶手段の前記設置位置に基づいて、前記現在位置取得手段で取得される自機の現在位置の最寄りの１つ以上のアクセスポイントを探索する探索手段と、
前記表示手段に地図と前記探索手段で探索された前記アクセスポイントまでのルートと自機の現在位置とを示して、前記アクセスポイントまでの案内を行う案内処理手段と
して機能させることを特徴とするナビゲーションプログラム。
【発明の詳細な説明】
【技術分野】
【０００１】
この発明は、例えば、外出先などにおいても、安心して無線ＬＡＮ（Local Area Network）を通じてインターネットに接続できるようにする装置、方法、プログラムに関する。
【背景技術】
【０００２】
インターネットへの接続経路の１つとして無線ＬＡＮを利用することが広く行われている。近年においては、屋外や店舗などの公共スペースに設置された無線ＬＡＮ接続用のアクセスポイントを通じて、外出先においても無線ＬＡＮを経由してインターネットに接続できる環境が整えられてきている。
【０００３】
このように、公共スペースに設置される無線ＬＡＮ用のアクセスポイントは、無料で利用可能なものもあれば、料金を支払うことによりパスワードなどの提供を受けて利用できる有料のものもある。そして、後に記す特許文献１には、周囲にある複数のアクセスポイントの中から良好に通信可能なアクセスポイントを選択して利用可能にする発明が開示されている。
【先行技術文献】
【特許文献】
【０００４】
【特許文献１】特開２００７−１４２８５９号公報
【発明の概要】
【発明が解決しようとする課題】
【０００５】
近年、訪日外国人観光客が急増しており、今後も増えていくと考えられる。そして、訪日外国人観光客の方が訪日して困ったこととして、自国から持ち込んだ情報通信端末を簡単に無線ＬＡＮに接続できないということがあげられている。外国人観光客の方が自分の情報通信端末をインターネットに接続するためには、無線ＬＡＮ経由で接続するのが一番簡単で確実である。しかし、外国人観光客の方が利用可能な無線ＬＡＮのアクセスポイントは限られているのが現状であり、自分の情報通信端末が接続可能なアクセスポイントを見つけるのに手間取ってしまう場合がある。
【０００６】
また、屋外や店舗などの公共スペースに設置される無線ＬＡＮのアクセスポイントの中には、いわゆるフィッシングと呼ばれる個人情報の搾取を行うことを目的としたアクセスポイントがあるのではないかとの懸念がある。このため、上述した特許文献１に開示された発明のように、効率よく通信を行うことが可能なアクセスポイントを選択する前に、安全なアクセスポイントか否かを判別できるようにしたいとする要求がある。このことは、外国人観光客に限るものではなく、観光や出張などで国内を移動する日本人が自分の情報通信端末を利用する場合にも言えることである。
【０００７】
以上のことに鑑み、この発明は、現在位置において、自分が所持する情報通信端末が、安全に接続可能な無線ＬＡＮのアクセスポイントを明確に示せると共に、存在していない場合には、安全なアクセスポイントが利用可能な場所まで案内できることを目的とする。
【課題を解決するための手段】
【０００８】
上記課題を解決するため、請求項１に記載の発明のナビゲーション装置は、
自機の現在位置を取得する現在位置取得手段と、
無線ＬＡＮ（Local Area Network）のアクセスポイントを通じてインターネットに接続し通信をできるようにする無線通信手段と、
提供元が明らかな無線ＬＡＮのアクセスポイントの、識別情報、設置位置、接続に必要となる接続情報、有料／無料区分を保持するアクセスポイント記憶手段と、
現在位置において、前記無線通信手段を通じて相互に通信が可能なアクセスポイントのうち、前記アクセスポイント記憶手段に識別情報が登録されているアクセスポイントの一覧リストを作成して表示手段に表示するリスト作成手段と、
前記表示手段に表示された前記一覧リストから、接続先とするアクセスポイントの選択入力を受け付けて、選択された当該アクセスポイントを通じてインターネットに接続するように制御する接続制御手段と、
現在位置において、前記アクセスポイント記憶手段に識別情報が登録されており、かつ、前記無線通信手段を通じて相互に通信が可能なアクセスポイントが存在しない場合に、前記アクセスポイント記憶手段の前記設置位置に基づいて、前記現在位置取得手段で取得される自機の現在位置の最寄りのアクセスポイントを探索する探索手段と、
前記表示手段に地図と前記探索手段で探索された前記アクセスポイントまでのルートと自機の現在位置とを示して、前記アクセスポイントまでの案内を行う案内処理手段と
を備えることを特徴とする。
【０００９】
この請求項１に記載の発明のナビゲーション装置によれば、現在位置取得手段と無線通信手段とアクセスポイント記憶手段とを備える。リスト作成手段は、現在位置において、無線通信手段を通じて相互に通信が可能なアクセスポイントのうち、アクセスポイント記憶手段に識別情報が登録されているアクセスポイントの一覧リストを作成して表示手段に表示する。接続制御手段は、表示手段に表示された一覧リストから、接続先とするアクセスポイントの選択入力を受け付けて、選択された当該アクセスポイントに接続する処理を行う。これにより、提供元が明らかな安全な無線ＬＡＮのアクセスポイントを通じてインターネットに接続してインターネットを利用できる。
【００１０】
一方、現在位置において、アクセスポイント記憶手段に識別情報が登録されており、かつ、無線通信手段を通じて相互に通信が可能なアクセスポイントが存在していないとする。この場合には、探索手段が機能し、アクセスポイント記憶手段に記憶されているアクセスポイントの設置位置に基づいて、自機の現在位置の最寄りの安全なアクセスポイントを探索する。そして、案内処理手段が、表示手段に地図と探索手段で探索された安全なアクセスポイントまでのルートと自機の現在位置とを示して、当該安全なアクセスポイントまでの案内を行う。これにより、現在位置において接続可能な安全なアクセスポイントが存在していなくても、安全なアクセスポイントと通信可能な位置まで、当該ナビゲーション装置を所持する使用者を案内できる。
【発明の効果】
【００１１】
この発明によれば、現在位置において、自分が所持する情報通信端末が、安全に無線接続可能な無線ＬＡＮのアクセスポイントを明確に示し、安全なアクセスポイントを通じてインターネットにアクセスできる。また、現在位置において、自分が所持する情報通信端末が、安全に無線接続可能な無線ＬＡＮのアクセスポイントが存在していない場合には、どこに設置されているのかを明確に示し、当該アクセスポイント通信可能な位置まで案内できる。
【図面の簡単な説明】
【００１２】
【図１】実施形態の歩行者用のナビゲーション装置の構成例を説明するためのブロック図である。
【図２】アクセスポイントＤＢ１０７の格納データの例を説明するための図である。
【図３】外国人観光客の方が自国で行う事前準備処理の一例を説明するためのフローチャートである。
【図４】有料のアクセスポイントのＳＳＩＤやパスワードを設定する処理の一例を説明するためのフローチャートである。
【図５】実施形態のナビゲーション装置において実行されるナビアプリのアクセスポイントナビモード時の処理について説明するためのフローチャートである。
【図６】図５に続くフローチャートである。
【図７】アクセスポイントモード時において、表示部１１１に表示される表示画面の例を説明するための図である。
【図８】アクセスポイントモード時において、表示部１１１に表示される表示画面の例を説明するための図である。
【図９】安全に接続可能なアクセスポイントを考慮したルート探索処理について説明するための図である。
【発明を実施するための形態】
【００１３】
以下、図を参照しながら、この発明の装置、方法、プログラムの一実施の形態について説明する。この発明のナビゲーション装置は、例えば、タブレットＰＣ（Personal Computer）、ノートＰＣ、スマートフォンなどと呼ばれる高機能携帯電話端末などより実現できる。以下においては、例えばアメリカ合衆国や英国などの英語を母国語とする国からの外国人観光客の方が、タブレットＰＣを所持して訪日した場合に、当該タブレットＰＣを歩行者用のナビゲーション装置として利用する場合を例にして説明する。
【００１４】
そして、以下に説明する実施の形態のナビゲーション装置は、無線ＬＡＮへの接続機能を有する。しかし、無線ＬＡＮに接続するまではインターネット（クラウド）に接続できないために、当該ナビゲーション装置が有する機能を十分に活用できない。そこで、以下に説明する実施の形態のナビゲーション装置は、訪問国である日本において、迅速かつ簡単に安全なアクセスポイントを通じて無線ＬＡＮに接続することにより、迅速にインターネットに接続して、ストレスなくその機能を十分に使えるようにしている。
【００１５】
［ナビゲーション装置の構成例］
図１は、この実施形態の歩行者用のナビゲーション装置（以下、単にナビゲーション装置という。）の構成例を説明するためのブロック図である。図１に示したナビゲーション装置において、無線ＬＡＮアンテナ１０１Ａ及び無線ＬＡＮ通信部１０１は、Ｗｉ−Ｆｉ（登録商標）規格の無線ＬＡＮに対応し、近隣に位置する無線ＬＡＮのアクセスポイントを通じての通信を可能にする。制御部１０２はナビゲーション装置の各部を制御する機能を実現し、記憶装置１０３は情報記憶保持機能を実現する。記憶装置１０３には、種々のプログラムや処理に必要になる種々のデータが記憶されると共に、各種の処理の途中結果を一時記憶する作業領域としても用いられる。操作部１０４は、電源のオン／オフスイッチや幾つかのファンクションボタンなどからなる。
【００１６】
また、ナビゲーション装置は、地図ＤＢ１０５、ネットワークＤＢ１０６、アクセスポイントＤＢ１０７を備える。なお、地図ＤＢなどの「ＤＢ」との記載は、データベース（Data Base）の略称として用いている。そして、地図ＤＢ１０５、ネットワークＤＢ１０６には、歩行者用、自動車用、自転車用、バイク用など、用途（目的）に応じた地図データ、ネットワークデータを格納することができる。これにより、当該ナビゲーション装置を、歩行者用のナビゲーション装置にも、自動車用のナビゲーション装置にも、また、自転車用やバイク用のナビゲーション装置にもすることができる。
【００１７】
なお、以下においては、説明を簡単にするため、地図ＤＢ１０５、ネットワークＤＢ１０６には、歩行者用の地図データ、ネットワークデータが格納されるものとして説明する。すなわち、地図ＤＢ１０５は、歩行者用のナビゲーション処理に用いられる地図を表示するための地図データを記憶保持する。ネットワークＤＢ１０６は、経路探索時等に用いられる歩行者用のネットワークデータを記憶保持する。ネットワークデータは、ノードデータとリンクデータとからなる。
【００１８】
ノードデータは、例えば、交差点、分岐点などの地点（ノード）を表す情報であり、ノードＩＤ、緯度・経度、ノード種別からなる。リンクデータは、ノードを結ぶ線分によって、歩道、地下街、アーケード、階段、建物内通路、横断歩道、歩道橋などの歩行者が通行可能なルート（歩行者が通行可能なリンク）を示す情報であり、リンクＩＤ、リンク両端のノードのノードＩＤ、リンクコスト、リンク種別などからなる。通常、リンクコストは、そのリンクの長さ（距離）、あるいは、通行に要する時間によって定められる。そして、リンクコストは、いわゆるダイクストラ法により、リンクコストが最小となるルート（経路）を探索する場合に参照される。
【００１９】
アクセスポイントＤＢ１０７は、無線ＬＡＮのアクセスポイントに関する情報を保持するものであり、設置者（提供元）が明確に把握でき、いわゆるフィッシング行為などを行うものではない安全なアクセスポイントに関する情報を記憶保持する。図２は、アクセスポイントＤＢ１０７の格納データの例を説明するための図である。図２において、「エリア」は、アクセスポイントの設置エリアを示し、この例では都道府県別に管理されている。もちろん、これは一例であり、市区町村別に管理したり、観光地別に管理したりすることも可能である。
【００２０】
「アクセスポイント名」は、携帯情報端末などをネットワークに接続してデータ通信を行う際に必要となる、接続先を指定する文字列であり、各種のネットワークサービスやインターネットへの接続サービスを提供する事業者の識別名に相当する。この「アクセスポイント名」によって、設置者が特定できるので、安全なアクセスポイントであると判断できる１つの根拠となる。「緯度、経度」は、個々のアクセスポイントの設置位置を示す。
【００２１】
「ＳＳＩＤ」は、「Service Set Identifier」の略称であり、個々のアクセスポイントの識別情報である。「パスワード」は、当該アクセスポイントに接続する場合に必要になる認証情報である。「有料／無料区分」は、個々のアクセスポイントが、料金の支払を条件に利用が可能なものか、無料で利用が可能なものかを示す。また、「その他」の欄には、例えば、暗号化の有無、暗号化方式など、必要な情報を格納できる。
【００２２】
この図２に示したアクセスポイントＤＢ１０７には、提供元が明らかな無線ＬＡＮのアクセスポイントの、識別情報、設置位置、接続に必要となる接続情報、有料／無料区分などがアクセスポイントごとに格納されている。このアクセスポイントＤＢ１０７の格納データにより、どこに、接続可能な安全なアクセスポイントが設置されているのかが把握できる。
【００２３】
そして、アクセスポイントＤＢ１０７に格納されるデータは、例えば、地図データやネットワークデータを提供するサービスを行う会社等によって作成され、いわゆるクラウドを通じて提供される。なお、アクセスポイントＤＢ１０７に格納されるデータは、その設置元が明らかなアクセスポイントに関する情報である。設置元が明らかなアクセスポイントには、例えば、コンビニエンスストアや飲食店などの店舗が設置するもの、電話会社などの通信ネットワークを提供する企業が設置するもの、国、地方公共団体、観光に関する特定非営利活動法人（ＮＰＯ法人）、観光組合、商業組合が設置するものなどがある。
【００２４】
このように、アクセスポイントＤＢ１０７に格納されるデータは、所定の提供元において作成されてクラウド上に用意され、この実施形態のナビゲーション装置が必要に応じてネットワークを通じてクラウドにアクセスし、取得できるようになっている。そして、アクセスポイントＤＢ１０７は、安全に接続可能なアクセスポイントのみを表示するアクセスポイントの一覧リスト（アクセスポイントリスト）を作成する場合に用いられる。
【００２５】
時刻情報提供部１０８は、現在年月日、現在曜日、現在時刻を提供すると共に、制御部１０２の制御に応じて、所定の時間間隔の計測を行ういわゆるタイマー機能を実現する。センサ部１０９は、自律航法機能を実現するための、例えば、６軸センサ、地磁気センサ（方位センサ）などの種々のセンサなどからなる。ＧＰＳ部１１０及びＧＰＳアンテナ１１０Ａは、複数の人工衛星からの送信信号（測位情報）を受信して解析することにより、自機の現在位置を正確に取得（測位）する機能を実現する。
【００２６】
タッチパネル１１３は、ＬＣＤ（Liquid Crystal Display）などの表示部１１１とタッチセンサ１１２とからなり、情報表示手段としての機能と、情報入力手段としての機能を実現する。なお、ナビゲーション機能の実行時には、表示部１１１には案内用の地図が表示され、当該地図上にルート探索の結果得られたルートと、自機の現在位置とが表示されて経路案内（ナビゲーション）が行われる。音声処理部１１４及びスピーカ１１５は、制御部１０２の制御に応じて、アラーム音や音声メッセージなどを放音する機能を実現する。例えば、ナビゲーション機能の実行時には、音声処理部１１４及びスピーカ１１５を通じて、経路案内用の音声メッセージが放音される。
【００２７】
ルート探索部１２１は、ナビゲーション機能が実行された場合に、ルート探索を行って、その結果を地図ＤＢ１０５の地図データを用いて表示部１１１に表示する処理を行う。具体的にルート探索部１２１は、出発地、経由地、目的地等のルート探索に必要な情報を受け付けるためのルート探索設定画面を表示部１１１に表示する。そして、ルート探索部１２１は、タッチパネル１１３を通じて、出発地、経由地、目的地等の必要情報を受け付け、これらの情報に基づいて、ネットワークＤＢ１０６の格納データを参照し、ルート探索を行い、その結果を地図ＤＢ１０５の地図データを用いて表示部１１１に表示する。
【００２８】
また、ルート探索部１２１は、アクセスポイントを考慮したルート探索を行うこともできる。すなわち、ルート探索部１２１は、ルート探索時において、使用者によってアクセスポイントモードが選択された場合には、出発地から目的地に向かうルートを安全に接続可能なアクセスポイントがより多いルートを探索することもできる。このようにして探索したルートについても、その結果を地図ＤＢ１０５の地図データを用いて表示部１１１に表示する。
【００２９】
そして、使用者は、当該表示を確認し、探索されたルートを変更したい場合には、再度のルート探索を行う操作を、タッチパネル１１３を通じて行う。この場合には、ルート探索部１２１が機能し、再度のルート探索処理が行われる。また、使用者は、当該表示を確認し、探索されたルートを辿る場合には、当該ルートを辿るナビゲーションを開始する操作を、タッチパネル１１３を通じて行う。
【００３０】
この後、制御部１０２は、ルート案内部１２２を機能させ、ナビゲーション（案内）を開始させる。ルート案内部１２２は、自機の現在位置を含むエリアの地図を表示するための地図データを地図ＤＢ１０５から読み出し、これを表示部１１１に供給して目的とするエリアの地図を表示部１１１に表示する。そして、ルート案内部１２２は、ネットワークＤＢ１０６のネットワークデータに応じたネットワーク上の設定されたルートを自機が辿れるように、ナビゲーションを行う。
【００３１】
そして、この実施形態のナビゲーション装置は、リスト作成部１３１、接続処理部１３２、探索部１３３、案内処理部１３４からなるアクセスポイント処理部１３０を備える。アクセスポイント処理部１３０は、ナビゲーションアプリが起動され、アクセスポイントナビモードが選択された場合に機能し、安全なアクセスポイントに簡単かつ迅速に接続する機能を実現する。
【００３２】
具体的に、リスト作成部１３１は、現在位置（自機の現時点の所在位置）において、無線ＬＡＮアンテナ１０１Ａ及び無線ＬＡＮ通信部１０１を通じて電波を受信しているアクセスポイントのうち、アクセスポイントＤＢ１０７に識別情報が登録されているアクセスポイントの一覧リストを作成して表示部１１１に表示する。すなわち、リスト作成部１３１は、無線ＬＡＮアンテナ１０１Ａ及び無線ＬＡＮ通信部１０１を通じて電波を受信しているアクセスポイントのうち、安全に接続できるアクセスポイントのみしか当該アクセスポイントの一覧リストに表示しない。
【００３３】
また、リスト作成部１３１は、無線ＬＡＮアンテナ１０１Ａ及び無線ＬＡＮ通信部１０１を通じて電波を受信しているアクセスポイントのうち、アクセスポイントＤＢ１０７に識別情報が登録されているアクセスポイントの一覧リストを、無線ＬＡＮ部１０７において検出される受信強度の高い順に表示する。これにより、安全で、良好に通信を行えるアクセスポイントを優先的に選択できるようにしている。
【００３４】
そして、この実施形態のナビゲーション装置は、アクセスポイントを通じて無線ＬＡＮに接続するまでは、インターネット（クラウド）に接続できない。このため、接続処理部１３２は、リスト作成部１３１によって、表示部１１１に表示されたアクセスポイントの一覧リストから、タッチパネル１１３を通じて受け付ける使用者からのアクセスポイントの選択入力に応じて、選択された当該アクセスポイントに接続する処理を行う。この場合、接続処理部１３２は、アクセスポイントＤＢ１０７のパスワードを用いて、自機を、使用者によって選択されたアクセスポイントに接続する。これにより、当該ナビゲーション装置は、使用者によって選択された安全なアクセスポイントに接続され、当該アクセスポイントを通じてインターネットにアクセスし、インターネット上に設けられている種々のＷｅｂサイトの利用が可能になる。
【００３５】
探索部１３３は、現在位置において、無線ＬＡＮアンテナ１０１Ａ及び無線ＬＡＮ通信部１０１を通じて相互に通信が可能なアクセスポイントであって、アクセスポイントＤＢ１０７に識別情報が登録されている安全なアクセスポイントが存在しない場合に、アクセスポイントＤＢ１０７の設置位置に基づいて、自機の現在位置の最寄りのアクセスポイントを探索する。
【００３６】
案内処理部１３４は、表示部１１１に地図と探索部１３３で探索されたアクセスポイントまでのルートと自機の現在位置とを示して、探索されたアクセスポイントまでの案内を行う。これら探索部１３３と案内処理部１３４との機能により、すぐに接続可能で安全なアクセスポイントが存在しなくても、自機の現在位置から近い安全なアクセスポイントを探索して、その安全なアクセスポイントまで案内できる。これにより、使用者が当てもなくアクセスポイントを探すために歩き回るといったことを回避できる。
【００３７】
なお、制御部１０２は、例えば、使用者からの指示に応じて、インターネット上の所定の地図サーバにアクセスし、最新の地図データや最新のネットワークデータの提供を受けられる。そして、制御部１０２は、提供を受けた最新の地図データ、最新のネットワークデータを、地図ＤＢ１０５、ネットワークＤＢ１０６に格納し、利用することができる。すなわち、ナビゲーション装置は、インターネット上のサーバ装置にアクセスして、必要な情報の提供を受けることができる。
【００３８】
［自国での事前準備処理（地図ＤＢやアクセスポイントＤＢのローカル保存）］
この実施形態のナビゲーション装置の使用者は、上述したように、英語を母国語する国からの外国人観光客の方である。そして、当該使用者は、訪日後、すぐにこの実施形態のナビゲーション装置を安全なアクセスポイントに接続できるようにするために、自国において日本で利用する地図ＤＢやアクセスポイントＤＢをナビゲーション装置に保存しておく必要がある。
【００３９】
図３は、この実施形態のナビゲーション装置の使用者である外国人観光客の方が、自国において事前に行っておく事前準備処理を説明するためのフローチャートである。自国においては、この実施形態のナビゲーション装置をインターネットに接続するための環境は整えられている。このため、使用者は、当該ナビゲーション装置をインターネットに接続した後、タッチパネルを通じてインターネット上に設けられている地図データなどのダウンロードサイトにアクセスする指示を入力する。これにより、制御部１０２は、無縁ＬＡＮ通信部１０１及び無線ＬＡＮアンテナ１０１Ａを通じて、インターネット上の地図ＤＢなどのダウンロードサイトにアクセスする（ステップＳ１０１）。
【００４０】
当該地図データなどのダウンロードサイトの所在は、インターネット上に開示された情報を検索することによって、あるいは、市販のガイドブックや旅行会社が配布するパンフレットの記載などにより知ることができる。そして、使用者は、当該ダウンロードサイトから提供される入力画面を表示部１１１に表示し、タッチパネル１１３を通じて、使用言語、訪問国、訪問地域を指定する（ステップＳ１０２）。例えば、使用言語「English（英語）」、訪問国は「japan（日本）」、訪問地域は「Tokyo（東京都）」と、「kyoto（京都府）」と、「siga（滋賀県）」などというように指定する。
【００４１】
これにより、使用言語、訪問国、訪問地域を示す情報が、当該ダウンロードサイトに送信され、当該ダウンロードサイトは、指示された訪問国の指示された訪問地域の地図データ、ネットワークデータ、アクセスポイントデータ、及びナビゲーションアプリを送信してくる。制御部１０２は、無線ＬＡＮアンテナ１０１Ａ及び無縁ＬＡＮ通信部１０１を通じて、それらのデータやアプリを受信し、受信したデータやアプリを所定の格納部に格納する（ステップＳ１０３）。
【００４２】
すなわち、地図データは地図ＤＢ１０５に、ネットワークデータはネットワークＤＢ１０６に、アクセスポイントのデータはアクセスポイントＤＢ１０７に、ナビゲーションアプリは記憶装置１０３の所定の格納領域にそれぞれ保存し、この図３に示す処理が終了する。なお、使用言語を指定したのは、地図データやナビゲーションアプリを、当該使用言語に応じたものをダウンロードできるようにするためである。これにより、この例の場合には、英語対応の地図データ、ナビゲーションアプリをダウンロードできる。
【００４３】
このようにして、訪問国である日本において安全なアクセスポイントに迅速に接続するための情報やナビゲーション処理に必要になる情報やアプリケーション（ソフトウェア）が、この実施形態のナビゲーション装置に整えられる。なお、当該ダウンロードサイトが日本の情報しか提供しないサイトの場合には、訪問国の指定は不要である。
【００４４】
［有料アクセスポイントのパスワード等の設定］
この実施形態のナビゲーション装置の使用者である外国人観光客は、例えば、自国でインターネットを通じて、あるいは、訪日後の日本の空港などの所定の場所において、有料の無線ＬＡＮの利用の申し込みを行うことができる。この場合、当該有料の無線ＬＡＮに接続するためのアクセスポイントのＳＳＩＤやパスワードが提供される。
【００４５】
この場合、当該ナビゲーション装置の使用者は、当該ナビゲーション装置に搭載されている設定ツールを利用して、当該有料無線ＬＡＮを利用するためのアクセスポイントのＳＳＩＤやパスワードの設定を行う。図４は、当該ナビゲーション装置の設定ツールを用いて、ＳＳＩＤやパスワードを設定する場合の処理を説明するためのフローチャートである。ナビゲーション装置の使用者が、表示部１１１に表示される所定のメニューから設定ツールに対応する項目を選択すると、制御部１０２は設定ツールを起動させる。
【００４６】
制御部１０２は、まず、タッチパネル１１３を通じて使用者からの無線ＬＡＮの設定の選択入力を受け付ける（ステップＳ２０１）。そして、無線ＬＡＮの設定が選択されると、制御部１０２は、設定画面を表示し、ＳＳＩＤやパスワードなどの設定入力を受け付け、受け付けた情報を記憶装置の所定のエリア記録し（ステップＳ２０２）、この図４に示す処理を終了する。
【００４７】
このようにして、この実施形態のナビゲーション装置の使用者は、有料無線ＬＡＮの利用契約をした場合には、有料無線ＬＡＮの利用に必要になるアクセスポイントのＳＳＩＤやパスワードなどの情報を、予め当該ナビゲーション装置に設定できる。
【００４８】
［アクセスポイントナビモード時の処理の詳細］
図５、図６は、この実施形態のナビゲーション装置において実行されるナビアプリのアクセスポイントナビモード時の処理について説明するためのフローチャートである。また、図７、図８は、アクセスポイントモード時において、表示部１１１に表示される表示画面の例を説明するための図である。この実施形態のナビゲーション装置においては、表示部１１１に表示される所定のメニューから、ナビゲーション機能に対応する項目がタッチパネル１１３を通じて選択されると、制御部１０２は、図５、図６に示すフローチャートの処理を行うナビアプリを実行する。
【００４９】
まず、制御部１０２は、モードの選択画面の表示部１１１に表示し、タッチパネル１１３を通じて使用者からのモード選択を受け付ける（ステップＳ３０１）。この実施形態のナビアプリの場合には、徒歩ナビモード、自転車ナビモード、自動車ナビモードなどの他、アクセスポイントナビモードの選択が可能になっている。アクセスポイントナビモードは、ナビゲーション装置を無線ＬＡＮの安全なアクセスポイントに迅速に接続できるようにするためのモードである。
【００５０】
そして、制御部１０２は、ステップＳ１０１において選択したモードは、アクセスポイントナビモードか否かを判別する（ステップＳ３０２）。ステップＳ３０２の判別処理において、アクセスポイントナビモードは選択されていないと判別したときには、制御部１０２は各部を制御し、選択されたモードに応じた処理を実行する（ステップＳ３０３）。
【００５１】
ステップＳ３０２の判別処理において、アクセスポイントナビモードが選択されたと判別したとする。この場合、制御部１０２は、無線ＬＡＮ通信部１０１とリスト作成部１３１とを制御し、無線ＬＡＮ通信部１０１を通じて近隣のアクセスポイントからの電波を受信し、当該受信した電波からリスト作成部１３１がアクセスポイントを特定するＳＳＩＤを抽出する（ステップＳ３０４）。
【００５２】
次に、リスト作成部１３１は、抽出したＳＳＩＤのそれぞれと、アクセスポイントＤＢ１０７に記憶されているデータの内、現在位置が属するエリアのアクセスポイントのＳＳＩＤとのマッチング処理を行う（ステップＳ３０５）。すなわち、ステップＳ３０５のマッチング処理は、無線ＬＡＮ通信部１０１を通じて相互に通信が可能なアクセスポイントであって、アクセスポイントＤＢ１０７にＳＳＩＤが登録されている安全なアクセスポイントに関する情報を抽出する処理である。
【００５３】
そして、制御部１０２は、ステップＳ３０５の処理において、安全に接続可能なアクセスポイントに関する情報が抽出できたか否かを判別する（ステップＳ３０６）。ステップＳ３０６の判別処理において、安全に接続可能なアクセスポイントに関する情報が抽出できたと判別したとする。この場合、制御部１０２は、更にリスト作成部１３１を制御し、現在位置において、安全に接続可能な無線ＬＡＮのアクセスポイントの一覧リスト（アクセスポイントリスト）を表示部１１１に表示する（ステップＳ３０７）。
【００５４】
ステップＳ３０７において、表示部１１１に表示されるアクセスポイントリストは、通常、図７（Ａ）に示すように、無料（Free）で利用可能なアクセスポイントが、無全ＬＡＮ部１０１において検出される受信強度の高い順で表示される。図７（Ａ）に示した例の場合には、ＳＳＩＤが「ＡＡ１…」、「ＡＡ２…」、「ＢＢ１…」である３つの無料のアクセスポイントが安全に接続可能なアクセスポイントであることが示されている。そして、受信した電波の受信強度はＳＳＩＤが「ＡＡ１…」のアクセスポイントからの電波が一番高く、２番目はＳＳＩＤが「ＡＡ２…」のアクセスポイントからの電波であり、３番目はＳＳＩＤが「ＢＢ１…」のアクセスポイントからの電波であることが示されている。そして、どのアクセスポイントを用いるのかの選択入力を促すメッセージが表示されている。
【００５５】
なお、ナビゲーション装置の使用者が、上述したように、有料の無線ＬＡＮの利用契約をしている場合には、当該有料の無線ＬＡＮを利用するためのアクセスポイントのＳＳＩＤとパスワードとが記憶装置１０３の所定の記憶領域に記憶されている。そして、現在位置において、当該ナビゲーション装置が電波を受信しているアクセスポイントであって、そのアクセスポイントのＳＳＩＤがアクセスポイントＤＢ１０７に記憶されており、かつ、当該ＳＳＩＤが記憶装置１０３に設定されている有料の無線ＬＡＮのアクセスポイントのＳＳＩＤと同じであるとする。すなわち、利用可能な有料の無線ＬＡＮのアクセスポイントが通信可能な状態で存在していたとする。
【００５６】
この場合には、図７（Ｂ）に示すように、当該契約済みの有料の無線ＬＡＮのアクセスポイントのＳＳＩＤなどの情報がアクセスポイントリストの上位に位置付けられて表示される。図７（Ｂ）に示した例の場合には、ＳＳＩＤが「ＣＣ１…」のアクセスポイントが、有料ではあるが、料金が支払われ、パスワードなどが設定されているために利用が可能なアクセスポイントであることが示されている。さらに、ＳＳＩＤが「ＡＡ１…」、「ＡＡ２…」、「ＢＢ１…」である３つの無料のアクセスポイントにも接続可能であることが示されている。
【００５７】
そして、制御部１０２は、タッチパネル１１３を通じて、表示部１１１に表示されたアクセスポイントリストから接続先となるアクセスポイントの使用者による選択入力を受け付ける（ステップＳ３０８）。この後、制御部１０２は、「Cancel（キャンセル）」ボタンが操作されたか否かを判別する（ステップＳ３０９）。「Cancel（キャンセル）」ボタンは、図７に示したように、アクセスポイントリストの下側に表示されるものであり、ナビアプリを終了する場合に操作される。
【００５８】
ステップＳ３０９の判別処理において、「Cancel（キャンセル）」ボタンは操作されていないと判別したとする。この場合、制御部１０２は、接続処理部１３２を制御して、ステップＳ３０８で選択されたアクセスポイントのＳＳＩＤとパスワードとを用いて、自機（当該ナビゲーション装置）を、選択されたアクセスポイントに対して接続する処理を行う。これにより、当該ナビゲーション装置は、当該アクセスポイントを通じてインターネットに接続可能になり、インターネット上の種々のＷｅｂサイトへのアクセスが可能になる。また、ステップＳ３０９の判別処理において、「Cancel（キャンセル）」ボタンが操作されたと判別した場合には、制御部１０２は、この図５、図６に示すナビアプリを終了させる。
【００５９】
一方、ステップＳ３０６の判別処理において、ステップＳ３０５の処理により安全に接続可能なアクセスポイントに関する情報が抽出できなかったと判別したとする。この場合には、現在位置において、安全に接続可能なアクセスポイントは存在していないことになる。そこで、制御部１０２は、図６のステップＳ３１１の処理に進み、探索部１３３を制御して、近隣の安全に接続可能なアクセスポイントの探索処理を行う（ステップＳ３１１）。具体的に、探索部１３３は、アクセスポイントＤＢ１０７のアクセスポイントの設置位置を示す緯度、経度を参照し、ＧＰＳ部１１０を通じて取得する自機の現在位置に近い１つ以上のアクセスポイントを抽出する。
【００６０】
次に、探索部１３３は、制御部１０２の制御の下、地図ＤＢ１０５の地図データを用い、ステップＳ３１１において抽出したアクセスポイントの設置位置を含む地図を表示部１１１に表示する（ステップＳ３１２）。この場合には、例えば、図８（Ａ）に示すように黒丸印で示された現在位置（Are here）の近くに存在する安全に接続可能なアクセスポイントの設置位置を示した地図が表示部１１１に表示される。図８（Ａ）に示した例の場合、アクセスポイントＡＰ１、ＡＰ３が無料（Free）のアクセスポイントでありアクセスポイントＡＰ２が有料のアクセスポイントであることが示されている。
【００６１】
そして、制御部１０２は、タッチパネル１１３通じて、使用者からの目的とするアクセスポイントの選択入力を受け付ける（ステップＳ３１３）。当該選択入力は、目的とするアクセスポイントの設置位置を示すピン表示がなされているタッチパネル１１３上の位置をタッチ操作することにより、目的とするアクセスポイントの選択ができる。この後、制御部１０２は、図８（Ａ）に示したように、地図表示の下側に表示される「Cancel（キャンセル）」ボタンが操作されたか否かを判別する（ステップＳ３１４）。
【００６２】
ステップＳ３１４の判別処理において、「Cancel（キャンセル）」ボタンが操作されたと判別したときには、制御部１０２は、この図５、図６に示すナビアプリを終了させる。また、ステップＳ３１４の判別処理において、「Cancel（キャンセル）」ボタンは操作されていないと判別したとする。この場合、制御部１０２は、探索部１３３を制御し、ネットワークＤＢ１０６のネットワークデータを用いて、現在位置から選択されたアクセスポイントまでのルートを探索して特定する（ステップＳ３１５）。
【００６３】
次に、制御部１０２は、案内処理部１３４を制御し、図８（Ｂ）に示すように、現在位置から選択されたアクセスポイントまでのルートを含む地図を、地図ＤＢ１０５の地図データを用いて表示部１１１に表示すると共に、現在位置を当該地図上に表示して案内を開始する（ステップＳ３１６）。これにより、例え、現在位置において、安全に接続可能なアクセスポイントが存在しない場合であっても、近隣に設置されている安全に接続可能なアクセスポイントと通信可能な位置にまで、迅速に案内できる。
【００６４】
そして、制御部１０２は、タッチパネル１１３を通じて使用者からの操作入力を受け付けるようにし、図８（Ｂ）の地図の下側に設けられている「Ｂａｃｋ（戻る）」ボタンが操作されたか否かを判別する（ステップＳ３１８）。ステップＳ３１８の判別処理において、「Ｂａｃｋ（戻る）」ボタンが操作されたと判別したときには、制御部１０２はステップＳ３１２からの処理（図８（Ａ）に示したアクセスポイントの選択画面の表示）からの処理を繰り返し、アクセスポイントの再選択を行うことができるようにされる。
【００６５】
また、ステップＳ３１８の判別処理において、「Ｂａｃｋ（戻る）」ボタンは操作されていないと判別したときには、選択されたアクセスポイントからの電波を受信できたか否かを判別する（ステップＳ３１９）。ステップＳ３１９の判別処理において、選択されたアクセスポイントからの電波を受信できていないと判別したときには、ステップＳ３１７からの処理を繰り返す。また、ステップＳステップＳ３１９の判別処理において、選択されたアクセスポイントからの電波を受信できたと判別したときには、図５に示したステップＳ３０４の処理に戻り、ステップＳ３０４からの処理が行われる。
【００６６】
これにより、安全に接続可能アクセスポイントからの電波が受信可能なエリアに到達したときには、アクセスポイントリストを表示し、当該リストから目的とするアクセスポイントを選択して接続するようにできる。すなわち、現在位置において、安全に接続可能なアクセスポイントが存在しない場合であっても、安全に接続可能なアクセスポイントからの電波を受信可能な場所まで迅速に案内し、当該アクセスポイントに接続できるように対応がとれる。
【００６７】
［無線ＬＡＮスポットでの多言語ガイダンス表示］
なお、上述したように、アクセスポイントリストから安全なアクセスポイントを選択して接続するようにした場合に、クラウド上の当該アクセスポイントの利用に関するＷｅｂページをナビゲーション装置の表示部１１１に表示させ、利用に関する種々の注意事項など提供できる。例えば、利用可能な期間、利用可能エリアなどの情報を提供できる、この場合、ナビゲーション装置に対して使用言語の選択入力を行うことにより、使用言語に応じたＷｅｂページを表示できる。この場合、クラウド上に多言語のＷｅｂページを用意しておいて、選択された使用言語に応じたＷｅｂページを提供する構成とすることもできるし、所定の使用言語で作成されているＷｅｂページを、ナビゲーション装置側で翻訳して表示することもできる。
【００６８】
ナビゲーション装置側でＷｅｂページの翻訳を行う場合には、既に選択した安全なアクセスポイントを通じてインターネットに接続されているので、クラウド上の翻訳辞書を使用して翻訳を行うことができる。あるいは、Ｗｅｂページの翻訳自体をクラウド上に存在する翻訳サービスを利用して行うこともできる。もちろん、ナビゲーション側に事前に用意される翻訳辞書を用いてＷｅｂページの翻訳を行うこともできる、
このように、安全なアクセスポイントを通じてインターネットに接続した後においては、ナビゲーション装置の使用者に対して、Ｗｅｂページを通じて、アクセスポイントの利用に関する案内や注意事項を使用言語に応じて提供できる。すなわち、多言語対応でガイダンスなどの情報を提供できる。
【００６９】
［安全に接続可能なアクセスポイントを考慮したルート探査］
この実施形態のナビゲーション装置は、上述たように、アクセスポイントＤＢ１０７を備えているため、アクセスポイントＤＢ１０７に保持されてアクセスポイントに関する情報により特定されるアクセスポイントを考慮したルート探索を行える。すなわち、安全に接続可能なアクセスポイントのみと通信を行うようにして目的地まで移動可能なルートの探索が可能である。
【００７０】
図９は、アクセスポイントＤＢ１０７に保持されてアクセスポイントに関する情報により特定されるアクセスポイントを考慮したルート探索処理について説明するための図である。図９（Ａ）は、ルート探索のための条件の入力画面であるルート探索画面（Route Search画面）を示す図である。図９（Ａ）に示したルート探索画面では、出発地（Departure Pont）、経由地（Stopover）、目的地（Destination）、優先して使用する交通機関（Priority）などの設定ができる。これらの各項目には、表示部１１１の下側に表示されるいわゆるソフトウェアキーボードを通じて設定項目の入力ができる。
【００７１】
そして、この実施形態のナビゲーション装置の場合には、例えば、徒歩ナビモード時のルート探索画面（Route Search画面）には、図９（Ａ）に示すように、アクセスポイントを考慮したルート探索を行うことを指示するチェックボックスＣｂが設けられている。当該チェックボックスＣｂにチェックを入れておくことにより、アクセスポイントを考慮したルート探索を行うことを指示できる。そして、当該チェックボックスＣｂにチェックが入れられた状態でルート探索が行うようにされると、ルート探索部１２１は、ネットワークＤＢ１０６のネットワークデータに加えて、アクセスポイントＤＢの格納データをも考慮したルート探索を行う。
【００７２】
例えば、図９（Ｂ）に示すように、旗印で示した「××Ｈｏｔｅｌ（××ホテル）」が現在位置であり、「○○Ｓｔａｔｉｏｎ（○○駅）」までのルート探索を行う場合を考える。そして、図９（Ｂ）において、多数の黒丸印で示した位置が、アクセスポイントＤＢ１０７で管理されているデータにより特定される安全に接続可能なアクセスポイントとの設置位置である。この場合、ルート探索部１２１は、まず、ルートを探索する経路上において、安全に接続可能なアクセスポイントが設置されているリンク（道路）を特定し、その特定したリンクおける安全に接続可能なアクセスポイントの設置数に応じてそのリンクのリンクコストを調整する。
【００７３】
すなわち、安全に接続可能なアクセスポイントが多く設置されているリンクのリンクコストは小さくし、安全に接続可能なアクセスポイントが設置されていない、あるいは、設置数が少ないリンクのリンクコストは大きくする。そして、ルート探索部１２１は、上述もしたように、リンクコストが最小になるようにルート探索を行うので、図９（Ｂ）において、矢印を付して示したルートのように、安全に接続可能なアクセスポイントが多く設置されたリンクを辿って目的地に向かうルートが探索できる。図９（Ｂ）に示した経路の場合には、安全に接続可能なアクセスポイントが設置されていなかったり、少なかったりするリンクを通ることが無い。したがって、安全に接続可能なアクセスポイントのみと通信を行うようにして目的地まで移動可能なルートの探索ができている。
【００７４】
［アクセスポイントからの電波の受信強度を用いたルート案内］
なお、安全に接続可能なアクセスポイントとその設置位置は、図９（Ｂ）に示したように、アクセスポイントＤＢ１０７の格納データにより把握できる。このためルート案内部１２２は、安全に接続可能なアクセスポイントの設置位置と、それらのアクセスポイントからの電波の受信強度を考慮したルート案内を行うことができる。
【００７５】
具体的には、進行方向に位置する安全なアクセスポイントからの電波の受信強度が大きくなるように、ルート案内を行うようにする。進行方向に位置する安全なアクセスポイントからの電波が小さくなり場合には、進行方向が間違っている可能性が高いので、警告メッセージを出力したり、ルート確認を行うことを促したりすることが可能となる。
【００７６】
［実施の形態の効果］
上述した実施の形態のナビゲーション装置は、現在位置において、安全に接続可能なアクセスポイントの存在をアクセスポイントリストにより明確に使用者に通知できる。アクセスポイントリストには、上述もしたように、安全に接続可能なアクセスポイントについての情報しか表示されない。そして、使用者によって選択された安全に接続可能なアクセスポイントと簡単に接続できる。また、現在位置において、安全に接続可能なアクセスポイントが存在していない場合には、どこに設置されているのかを明確に示すことができる。そして、その安全に接続可能なアクセスポイントと通信が可能な位置まで迅速に案内できる。
【００７７】
特に、上述した実施の形態のナビゲーション装置は、英語を母国語とする外国人観光客の方によって利用されるものであるが、訪日後において、即座に安全に接続可能なアクセスポイントを見つけ出し、そのアクセスポイントに接続できる。したがって、自国にいるのと同様に、アクセスポイントに迅速に接続してインターネットを利用できる。すなわち、ストレスなくインターネットを利用できる。しかも、安全なアクセスポイントしか使用者に提示しないので、いわゆるフィッシングなどの行為により個人情報が不正に搾取される心配もない。
【００７８】
［変形例など］
なお、上述した実施の形態では、ＧＰＳ部１１０及びＧＰＳアンテナ１１０Ａが現在位置取得手段としての機能を有するものとして説明した。しかし、これに限るものではない。例えば、無線ＬＡＮ通信部１０１が受信可能なアクセスポイントのＳＳＩＤと受信電界強度に応じて、当該アクセスポイントとの位置関係から自機の現在位置を特定する手法を用いてももちろんよい。
【００７９】
また、訪日後、予定してなかった場所を訪問することになった場合には、日本において、訪問することになった新たなエリアの地図データ、ネットワークデータ、アクセスポイントに関するデータを日本国内で取得して、地図ＤＢ１０５、ネットワークＤＢ１０６、アクセスポイントＤＢ１０７に格納して利用できる。
【００８０】
また、上述した実施の形態では、英語を母国語とする国からの外国人観光客の方が、上述した実施の形態のナビゲーション装置を利用する場合を例にして説明したが、これに限るものではない。種々の使用言語を用いる種々の国からの外国人観光客の方が使用するナビゲーション装置に、この発明を適用できる。また、訪問国も日本に限るものではなく、日本以外の国に訪問する場合に利用するナビゲーション装置にもこの発明を適用できる。
【００８１】
［その他］
上述した実施の形態の説明からも分かるように、ナビゲーション装置の現在位置取得手段、無線通信手段、アクセスポイント記憶手段、リスト作成手段、接続処理手段、探索手段、案内処理手段の各機能は、実施の形態のナビゲーション装置のＧＰＳ部１１０、無線ＬＡＮ通信部１０１、アクセスポイントＤＢ１０７、リスト作成部１３１、接続処理部１３２、探索部１３３、案内処理部１３４が実現している。
【００８２】
また、図５、図６に示したフローチャートの処理が、この発明のナビゲーション方法の一実施の形態に対応している。また、図６、図７に示したフローチャートの処理を実行するプログラムが、この発明のナビゲーションプログラムの一実施の形態に対応している。そして、リスト作成手段、接続処理手段、探索手段、案内処理手段の各機能は、制御部１０２において実行されるソフトウェアによって制御部１０２の機能として実現できる。すなわち、リスト作成手段、接続処理手段、探索手段、案内処理手段の各機能は、ソフトウェアによって当該ソフトウェアを実行する制御部の機能として実現できる。
【符号の説明】
【００８３】
１０１Ａ…無線ＬＡＮアンテナ、１０１…無線通信部、１０２…制御部、１０３…記憶装置、１０４…操作部、１０５…地図ＤＢ、１０６…ネットワークＤＢ、１０７…アクセスポイントＤＢ、１０８…時間情報提供部、１０９…センサ部、１１０…ＧＰＳ部、１１０Ａ…ＧＰＳアンテナ、１１１…表示部、１１２…タッチセンサ、１１３…タッチパネル、１１４…音声処理部、１１５…スピーカ、１２１…ルート探索部、１２２…ルート案内部、１３０…アクセスポイント処理部、１３１…リスト作成部、１３２…接続処理部、１３３…探索部、１３４…案内処理部
【図１】
2016186431.tif 000003
【図２】
2016186431.tif 000004
【図３】
2016186431.tif 000005
【図４】
2016186431.tif 000006
【図５】
2016186431.tif 000007
【図６】
2016186431.tif 000008
【図７】
2016186431.tif 000009
【図８】
2016186431.tif 000010
【図９】
2016186431.tif 000011